(57)【要約】【課題】  側面に配管接続部等の突出部を備えた排水装置を、ナット部材を利用し機器等の取付孔に取り付ける、ナット部材を用いた排水装置の取り付け構造において、排水装置本体の全高（雄ネジ部の軸方向の幅）を狭くする構造を提供する。【解決手段】  排水装置の取り付け構造を、有底筒形状の筒体部、該筒体部の外側面に周縁に沿って突出して設けられたフランジ部、筒体部の、フランジ部よりも底面側外側面に設けられた雄ネジ部、筒体部の、雄ネジ部よりも底面側であって外側面方向に突出するようにして設けられた突出部、からなる排水装置本体と、略筒形状にして内側面に排水装置本体の雄ネジ部と螺合する雌ネジ部を備えたナット部材と、からなり、ナット部材の、突出部側に配置される端部に、排水装置本体の突出部に対応した切り欠き部を設けて構成する。【選択図】図１３
2015165064.tif 000002
【特許請求の範囲】
【請求項１】
有底筒形状の筒体部、
該筒体部の外側面に周縁に沿って突出して設けられたフランジ部、
筒体部の、フランジ部よりも底面側外側面に設けられた雄ネジ部、
筒体部の、雄ネジ部よりも底面側であって外側面方向に突出するようにして設けられた突出部、
からなる排水装置本体と、
略筒形状にして内側面に排水装置本体の雄ネジ部と螺合する雌ネジ部を備えたナット部材と、からなり、
ナット部材の、突出部側に配置される端部に、排水装置本体の突出部に対応した切り欠き部を設けたことを特徴とする排水装置の取り付け構造。
【請求項２】
上記排水装置の接続構造において、ナット部材を排水装置本体に挿通し、
軸方向視、排水装置本体の突出部上にナット部材の切り欠き部を配置した時、
排水装置本体の雄ネジ部と、ナット部材の雌ネジ部の、各螺合開始側端部が、軸方向視近傍且つ互いに干渉しない位置に配置されることを特徴とする、請求項１に記載の排水装置の取り付け構造。
【請求項３】
有底略筒形状の筒体部、
該筒体部の外側面に周縁に沿って突出して設けられたフランジ部、
筒体部の、フランジ部よりも底面側外側面に設けられた雄ネジ部、
筒体部の、雄ネジ部よりも底面側であって外側面方向に突出するようにして設けられた突出部、
からなる排水装置本体と、
略筒形状にして内側面に排水装置本体の雄ネジ部と螺合する雌ネジ部を備えたナット部材と、
排水装置本体及びナット部材のそれぞれに備えられた、排水装置本体及びナット部材に対する目印構造と、からなり、
該目印構造によって、排水装置本体の雄ネジ部と、ナット部材の雌ネジ部の、各螺合開始側端部が、軸方向視近傍且つ互いに干渉しない位置に配置できることを特徴とする、排水装置の取り付け構造。
【請求項４】
上記排水装置の接続構造において、
排水装置本体の目印構造を、排水装置本体の突出部にて兼用したことを特徴とする、請求項３に記載の排水装置の取り付け構造。
【請求項５】
上記排水装置の接続構造において、
ナット部材の目印構造が、ナット部材の、突出部側に配置される端部に設けた、排水装置本体の突出部に対応した切り欠き部であることを特徴とする、請求項３又は請求項４に記載の排水装置の取り付け構造。
【請求項６】
雌ネジ部の螺合終了側端部が、ナット部材の切り欠き部と、ナット部材の中心軸方向において同じ位置にあることを特徴とする、請求項１又は請求項２又は請求項５に記載の排水装置の取り付け構造。
【請求項７】
有底筒形状の筒体部、
該筒体部の外側面に周縁に沿って突出して設けられたフランジ部、
筒体部の、フランジ部よりも底面側外側面に設けられた雄ネジ部、
筒体部の、雄ネジ部よりも底面側であって外側面方向に突出するようにして設けられた突出部、
からなる排水装置本体と、
略筒形状にして内側面に排水装置本体の雄ネジ部と螺合する雌ネジ部を備えたナット部材と、からなり、
排水装置本体の、雄ネジ部の突出部側に、ナット部材に対応した切り欠き部を設けたことを特徴とする排水装置の取り付け構造。
【請求項８】
上記排水装置の接続構造において、
排水装置本体の突出部が、他の排水装置との配管接続部であることを特徴とする、請求項１乃至請求項７のいずれか一つに記載の排水装置の取り付け構造。
【発明の詳細な説明】
【技術分野】
【０００１】
本発明は、排水装置の取り付け構造に関し、更に詳しくは、側面に配管接続部等の突出部を備えた排水装置を、ナット部材を利用し機器等の取付孔に取り付ける、ナット部材を用いた排水装置の取り付け構造に関するものである。
【背景技術】
【０００２】
従来より、流し台や洗面台、浴槽など、使用により排水を生じる機器（以下、「排水機器」と記載）において、生じた排水を処理するため、排水機器の槽体底面等に排水装置を取り付け、排水装置の排水口から、管体等により構成した排水配管を介し下水側に排水を排出する方法が広く知られている。
以下に、従来の排水装置の取り付け構造を採用した排水配管の排水配管の一例を説明する。
【０００３】
特許文献１に記載の、従来の排水装置の取り付け構造を採用した排水装置及び排水配管は、以下に記載した排水機器としての流し台、排水装置本体、ナット部材、トラップ部材、接続配管、等の部材から構成されてなる。尚、以下の説明における上下は、下記従来例の説明における施工完了時の上下に基づいて説明している。
流し台は、槽体としての、上方が開口した箱体からなるシンクと、該シンクを載架するキャビネットからなる。また、シンクの底面には、排水装置本体を取り付ける取付孔を備えてなる。
排水装置本体は、有底筒状の部材であって、外側面に他の排水装置である管体との配管接続部としての排出口を備える。
また、排水装置本体は、シンク内の排水が流入する排水口を形成する、上端の開口部分の周縁に、外方向に突出したフランジ部を備えてなる。
また、排水装置本体は、フランジ部の下方に雄ネジ部を設けてなる。
ナット部材は、略円筒形状にして、その上端に施工完了時取付孔周縁を介してフランジ部下面と当接する押当部を備えてなる。また、円筒形状の内側面に排水装置本体の雄ネジ部に螺合する雌ネジ部を備えてなる。
また、円筒部分の外側面に、ナット部材を回転させる際の掴み部分となるリブ片を複数備えてなる。
接続配管は、直管、屈曲管などの管体からなる配管部材であって、排水装置本体側面の排出口から、下水側に繋がる床下配管までを接続する。この接続配管は、シンク底面及びキャビネット内側面に沿って配置され、その途中箇所に、後述するトラップ部材を介してなる。
トラップ部材は、管体を略Ｓ字形状に屈曲させた部材であって、使用時その内部に排水の溜まり部分を形成する。この排水の溜まり部分によってトラップ部材内部の流路の一部が満水状態になり、下水側からの臭気や害虫類が満水部分よりも屋内側に侵入できなくなるため、屋内側に臭気や害虫類が侵入することを防止するようになる。このような、下水側からの臭気や害虫類が屋内側に侵入することを防止する機能を「トラップ機能」と呼ぶ。
尚、詳述しないが、排水装置本体、シンクや各配管部材等、配管のそれぞれの接続箇所において、水密的な接続が必要となる箇所においては、接着や、パッキングと袋ナット等を利用して、水密的な接続が行われている。
【０００４】
上記のように構成した排水装置及び排水配管は、以下のようにして槽体である流し台のシンクに施工される。
まず、排水装置本体を、シンクの底面の取付孔に上方から挿通し、フランジ部の下面がシンク底面の取付孔の周縁上面に当接するようにする。次に、ナット部材を、排出口から挿通し、図２８の矢印の向きに縦回転させて、排水装置本体の雄ネジ部の軸と、ナット部材の雌ネジ部の軸とを一致させる（以降、この雄ネジ部と雌ネジ部の中心軸を一致させるため、ナット部材を突出部の根元部分を中心に縦回転させる作業を「ネジ軸を一致させる為の回転」と呼び、螺合の為の回転と区別する）。その上で、ナット部材を雌ネジ部の軸を中心に回転させることにより、雄ネジ部の端部と雌ネジ部の端部が向き合って螺合が開始される。
そのままナット部材を回転させると、排水装置本体とナット部材の螺合が進み、ナット部材の上端の押当部上面が、シンク底面の取付孔の周縁下面に強く当接する。結果、取付孔周縁を、フランジ部の下面と押当部上面とで強く挟持することができ、排水装置本体をシンクの取付孔に取り付けることができる。
この後、排出口から床下配管までを、途中にトラップ部材を介した上で、直管、屈曲管等を利用した接続配管によって接続して、従来例の排水装置の取り付け構造を採用した、排水配管の施工が完了する。
【０００５】
上記のように施工された流し台の排水配管において、流し台を使用し、シンク内に排水が生じると、排水は、シンク内から排水口を通過し、排水装置本体側面の排出口から排出され、トラップ部材を介しつつ接続配管を通過し、最終的に床下配管から下水側に排出される。
また、トラップ部材内部に排水が溜まることで、トラップ部材の排水の流路の一部が満水状態となる。これにより、下水側からの臭気や害虫類の逆流が防止される、トラップ機能を生じる。
【０００６】
【特許文献１】特開２００５−３４４４００号
【発明の開示】
【発明が解決しようとする課題】
【０００７】
上記のように構成した、従来例の排水装置の取り付け構造には次のような問題があった。
上記した従来例において、排水機器に取り付けられる排水装置本体等の排水装置については、その全高をできる限り低くしたい、という要望がある。
具体的に説明すると、洗面台や流し台に施工される排水装置の場合、従来例のように、排水装置本体はキャビネット内に配置されるが、キャビネット内部は、洗面台であれば石鹸や洗剤・タオルなどの、流し台であれば調理器具・調味料などの、それぞれ収納スペースとして活用されており、排水装置のような収納の障害になる構造はなるべく薄くし、障害とならないようにすると好適である。
また、浴室や洗濯機パンに用いられる排水装置本体の場合、排水装置本体は床下の配管スペースに配置されるが、排水装置の上下高さを狭めることができれば、住宅の設計段階において、排水装置本体の全高を考慮して、床下配管の空間の上下高さをその分狭くすることができる。マンション等において、各階の高さが決まっている場合、床下空間が狭くなる分、生活空間が上下に広くなるため、居住者にとって好適である。
しかしながら、従来例のように、排水装置本体の側面に排出口などの突出部を有すると共に、ナット部材を用いて取り付けを行う排水装置本体においては、その全高を低くするのにあたり、次のような限界があった。
詳述すると、排水装置本体のフランジ部下面と、ナット部材の押当部上面とで取付孔周縁を挟持させる際に、排水装置本体の雄ネジ部と、ナット部材の雌ネジ部の螺合を行うことから、螺合を開始する際、雄ネジ部の下端に、ナット部材を配置する必要がある。
ところが、排水装置本体の側面方向には、突出部として排出口が設けられており、雄ネジ部の下端から排出口の上端までの高さ幅が、少なくともナット部材の雌ネジ部の上端側の端部から、ナット部材の下端までの高さ幅よりも広くなければ、排水口（突出部）にナット部材の下端が干渉して、雄ネジ部と雌ネジ部の中心軸を一致させることが不可能となる。
実際には、ナット部材を図２８の矢印のように回転させる際に、回転させる余裕、いわゆる「遊び」も必要となる。
このため、従来例の排水装置本体には、少なくとも排出口（突出部）の雄ネジ部の高さ幅と、ナット部材の雌ネジ部上端からナット部材下端までの高さ幅、及びフランジ部と排出口等突出部の高さ幅を合計しただけの高さ幅が必要であった。
本発明は上記問題点に鑑み発明されたものであって、側面に配管接続部等の突出部を備えた排水装置を、ナット部材を利用し機器等の取付孔に取り付ける、ナット部材を用いた排水装置の取り付け構造において、排水装置本体の全高（雄ネジ部の軸方向の幅）を狭くするためのである。
【課題を解決するための手段】
【０００８】
請求項１に記載の本発明は、有底筒形状の筒体部、該筒体部の外側面に周縁に沿って突出して設けられたフランジ部、筒体部の、フランジ部よりも底面側外側面に設けられた雄ネジ部、筒体部の、雄ネジ部よりも底面側であって外側面方向に突出するようにして設けられた突出部、からなる排水装置本体と、
略筒形状にして内側面に排水装置本体の雄ネジ部と螺合する雌ネジ部を備えたナット部材と、からなり、
ナット部材の、突出部側に配置される端部に、排水装置本体の突出部に対応した切り欠き部を設けたことを特徴とする排水装置の取り付け構造である。
尚、請求項１、及び請求項５で言う「突出部に対応した切り欠き部」とは、その内部に突出部の一部を配置することが可能な形状の切り欠き部、という意味であって、突出部の一部をその内部に配置できるのであれば、特に切り欠き部の形状は問わない。
【０００９】
請求項２に記載の本発明は、上記排水装置の接続構造において、ナット部材を排水装置本体に挿通し、軸方向視、排水装置本体の突出部上にナット部材の切り欠き部を配置した時、
排水装置本体の雄ネジ部と、ナット部材の雌ネジ部の、各螺合開始側端部が、軸方向視近傍且つ互いに干渉しない位置に配置されることを特徴とする、段落０００８に記載の排水装置の取り付け構造である。
【００１０】
請求項３に記載の本発明は、有底略筒形状の筒体部、該筒体部の外側面に周縁に沿って突出して設けられたフランジ部、筒体部の、フランジ部よりも底面側外側面に設けられた雄ネジ部、筒体部の、雄ネジ部よりも底面側であって外側面方向に突出するようにして設けられた突出部、からなる排水装置本体と、
略筒形状にして内側面に排水装置本体の雄ネジ部と螺合する雌ネジ部を備えたナット部材と、
排水装置本体及びナット部材のそれぞれに備えられた、排水装置本体及びナット部材に対する目印構造と、からなり、
該目印構造によって、排水装置本体の雄ネジ部と、ナット部材の雌ネジ部の、各螺合開始側端部が、軸方向視近傍且つ互いに干渉しない位置に配置できることを特徴とする、排水装置の取り付け構造構造である。
【００１１】
請求項４に記載の本発明は、上記排水装置の接続構造において、排水装置本体の目印構造を、排水装置本体の突出部にて兼用したことを特徴とする、段落００１０に記載の排水装置の取り付け構造である。
【００１２】
請求項５に記載の本発明は、上記排水装置の接続構造において、ナット部材の目印構造が、ナット部材の、突出部側に配置される端部に設けた、排水装置本体の突出部に対応した切り欠き部であることを特徴とする、段落００１０又は段落００１１に記載の排水装置の取り付け構造段落０００８に記載の排水装置の取り付け構造である。
【００１３】
請求項６に記載の本発明は、雌ネジ部の螺合終了側端部が、ナット部材の切り欠き部と、ナット部材の中心軸方向において同じ位置にあることを特徴とする、段落０００８又は段落０００９又は段落１２に記載の排水装置の取り付け構造である。
【００１４】
請求項７に記載の本発明は、有底筒形状の筒体部、該筒体部の外側面に周縁に沿って突出して設けられたフランジ部、筒体部の、フランジ部よりも底面側外側面に設けられた雄ネジ部、筒体部の、雄ネジ部よりも底面側であって外側面方向に突出するようにして設けられた突出部、からなる排水装置本体と、
略筒形状にして内側面に排水装置本体の雄ネジ部と螺合する雌ネジ部を備えたナット部材と、からなり、
排水装置本体の、雄ネジ部の突出部側に、ナット部材に対応した切り欠き部を設けたことを特徴とする排水装置の取り付け構造である。
【００１５】
請求項８に記載の本発明は、上記排水装置の接続構造において、排水装置本体の突出部が、他の排水装置との配管接続部であることを特徴とする、段落０００８乃至段落００１４のいずれか一つに記載の排水装置の取り付け構造である。
【発明の効果】
【００１６】
請求項１に記載の発明では、ナット部材の、突出部側に配置される端部に、突出部に対応した切り欠き部を設けたことによって、雄ネジ部と雌ネジ部の中心軸を一致させるため、ナット部材を突出部の根元部分を中心に縦回転させる作業、即ちネジ軸を一致させる為の回転を行う作業の際、切り欠き部分による遊び空間ができ、ネジ軸を一致させる為の回転を行うことが極めて容易とすることができる。
請求項２、請求項３に記載の発明では、切り欠き部と突出部、または目印構造を利用して、雄ネジ部と雌ネジ部の中心軸を一致させた際、排水装置本体の雄ネジ部と、ナット部材の雌ネジ部の、各螺合開始側端部が、軸方向視近傍且つ互いに干渉しない位置に配置されるように構成されている。これにより、雄ネジ部及び雌ネジ部のネジの巻き数を変化させること無く、ネジ部の一ピッチ分、雄ネジ部の螺合開始側端部から、突出部上面までの高さ幅を、狭くすることができ、ひいては排水装置本体の全高を低くすることができる。
請求項４に記載の本発明では排水装置本体の、請求項５に記載の本発明ではナット部材の、それぞれ目印構造を具体的に明確にできる。
更に請求項５に記載の発明では、ナット部材の下端部分に、突出部に対応した切り欠き部を設け、これを目印構造としたことで、雄ネジ部と雌ネジ部の中心軸を一致させるため、ナット部材を突出部の根元部分を中心に縦回転させる作業、即ちネジ軸を一致させる為の回転を行う作業の際、切り欠き部分による遊び空間ができ、ネジ軸を一致させる為の回転を行うことが極めて容易とすることができる。
請求項６に記載の本発明では、雌ネジ部の螺合終了側端部が、ナット部材の切り欠き部と、ナット部材の中心軸方向において同じ位置に設けたことによって、切り欠き部を設けるに当たり、雌ネジ部分が切り欠き部により一部を削除されて螺合強度が下がる、ということを無くすことができる。
請求項７に記載の発明では、排水装置本体の、雄ネジ部の突出部側に、ナット部材に対応した切り欠き部を設けたことによって、雄ネジ部と雌ネジ部の中心軸を一致させるため、ナット部材を突出部の根元部分を中心に縦回転させる作業、即ちネジ軸を一致させる為の回転を行う作業の際、切り欠き部分による遊び空間ができ、ネジ軸を一致させる為の回転を行うことが極めて容易とすることができる。
請求項８に記載の本発明では、突出部の構造を明確にすることができる。
【図面の簡単な説明】
【００１７】
【図１】第一実施例の流し台の施工状態を示す断面図である。
【図２】第一実施例の排水装置本体及びナット部材の正面図である。
【図３】第一実施例の排水装置本体及びナット部材の斜視図である。
【図４】第一実施例の排水装置本体の、排出口を切り欠いた正面図である。
【図５】第一実施例のナット部材の断面図である。
【図６】第一実施例のナット部材の底面図である。
【図７】第一実施例のナット部材の、下方からの斜視図である。
【図８】第一実施例の排水装置本体の施工手順を示す断面図である。
【図９】第一実施例の排水装置本体の施工手順を示す断面図である。
【図１０】第一実施例の排水装置本体の施工手順を示す断面図である。
【図１１】第一実施例の排水装置本体の施工手順を示す断面図である。
【図１２】図１１の状態における、排水装置本体の排出口を切り欠いた正面図である。
【図１３】図１２の状態における、ネジ部の配置を示すための参考図である。
【図１４】図１２のＡ−Ａ’断面図である。
【図１５】第一実施例の排水装置本体の施工手順を示す断面図である。
【図１６】第一実施例の排水装置本体の施工手順を示す断面図である。
【図１７】第二実施例の流し台の施工状態を示す断面図である。
【図１８】第二実施例の排水装置本体及びナット部材の正面図である。
【図１９】第二実施例の排水装置本体及びナット部材の斜視図である。
【図２０】第二実施例の排水装置本体の平面図である。
【図２１】第二実施例のナット部材の平面図である。
【図２２】第二実施例の排水装置本体の施工手順を示す断面図である。
【図２３】第二実施例の排水装置本体の施工手順を示す断面図である。
【図２４】図２３の状態における、排水装置本体の排出口を切り欠いた正面図である。
【図２５】図２４のＢ−Ｂ’断面図である。
【図２６】第二実施例の排水装置本体の施工手順を示す断面図である。
【図２７】第二実施例の排水装置本体の施工手順を示す断面図である。
【図２８】従来例の流し台の施工状態を示す断面図である。
【実施例】
【００１８】
以下に、本発明の第一実施例を、図面を参照しつつ説明する。尚、図４、図１２、図１３では、突出部である排出口１ｃの上面を示すため、排出口１ｃを、排出口１のネジ部分を含まない位置で切断して図示してなる。
図１乃至図１６に示した、本発明の第一実施例の排水装置の取り付け構造を採用した排水装置及び排水配管は、以下に記載した排水機器としての流し台Ｎ、排水装置本体１、ナット部材３、トラップ部材Ｔ、接続配管Ｐ、等の部材から構成されてなる。尚、以下の説明における上下は、下記実施例の説明における、施工完了時の上下に基づいて説明している。
流し台Ｎは、槽体としての、上方が開口した箱体からなるシンクＳと、該シンクＳを載架するキャビネットＣからなる。また、シンクＳの底面には、排水装置本体１を取り付ける取付孔Ｈを備えてなる。
排水装置本体１は、有底筒状の部材であって、外側面に、突出部であり、他の排水装置である管体との配管接続部である排出口１ｃを備えてなる。
また、排水装置本体１は、シンクＳ内の排水が流入する排水口１ｂを形成する、上端の開口部分の周縁に、外方向に突出したフランジ部１ａを備えてなる。
また、排水装置本体１は、フランジ部１ａの下方に雄ネジ部２を設けてなる。
ナット部材３は、略円筒形状にして、その上端に施工完了時取付孔Ｈ周縁を介してフランジ部１ａ下面と当接する押当部３ａを備えてなる。また、円筒形状の内側面に排水装置本体１の雄ネジ部２に螺合する雌ネジ部４を備えてなる。
また、円筒部分の外側面に、ナット部材３を回転させる際の掴み部分となるリブ片３ｂを複数備えてなる。
更にナット部材３には、押当部３ａと反対側、即ち施工完了時には突出部である排出口１ｃ側を向く下端側の端部部分に、下記のような特徴を備えた切り欠き部５を設けてなる。
該切り欠き部５は、排水装置本体１の突出部である排出口１ｃに対応した形状を備えてなる。具体的には、略円筒形状を成す排出口１ｃの上面の外径と同じか、それよりも大径の切り欠き部５を備えてなり、施工時に、一時的にこの切り欠き部５内部に、排出口１ｃの上部を収納することができる。
また、排水装置本体１の雄ネジ部２の中心軸と、ナット部材３の雌ネジ部４の中心軸を一致させ、且つ切り欠き部５内部に排出口１ｃの上部を収納した状態においては、ネジ部の中心軸方向視、排水装置本体１に対するナット部材３の方向が定まる。この状態において、軸方向視、排水装置本体１の雄ネジ部２と、ナット部材３の雌ネジ部４の、各螺合開始側端部が、近傍且つ互いに干渉しない位置に配置されてなる。
詳述すると、排水装置本体１の雄ネジ部２の螺合開始側端部２ａとは、ナット部材３の雌ネジ部４に最初に接する、雄ネジ部２の下方側の端部、単に「雄ネジ部２の下端」の部分、と言うだけでなく、ネジ部分の螺旋の端部を指し示すものである。
また、ナット部材３の雌ネジ部４の螺合開始側端部４ａとは、排水装置本体１の雄ネジ部２に最初に接する、雌ネジ部４の上方側の端部である。これも、単に「雌ネジ部４の上端」の部分、と言うだけでなく、ネジ部分の螺旋の端部を指し示すものである。
そして「軸方向視、排水装置本体１の雄ネジ部２と、ナット部材３の雌ネジ部４の、各螺合開始側端部が、近傍且つ互いに干渉しない位置」とは、図１４にて示したように、雄ネジ部２と雌ネジ部４の各螺合開始側の端部が、軸方向視、実施例では平面視において近傍（雄ネジ部２及び雌ネジ部４の中心軸を中心として４５度程度の角度内に収まる範囲）にあり、且つ両ネジ部の端部同士が重ならない状態である。
また、切り欠き部５は、雌ネジ部４の螺合終了側端部４ｂが、ナット部材３の切り欠き部５と、ナット部材３の中心軸方向において同じ位置にある。
詳述すると、まず、ナット部材３の雌ネジ部４の螺合終了側端部４ｂとは、排水装置本体１の雄ネジ部２に、最終的に接する、雌ネジ部４の下方側の端部である（つまり、上記「雌ネジ部４の螺合開始側端部４ａ」の反対側の端部である。また、取付孔Ｈ周縁の厚みによっては、螺合終了側端部まで螺合が達しない場合もある）。これも、単に「雌ネジ部４の下端」の部分、と言うだけでなく、ネジ部分の螺旋の端部を指し示すものである。
そして、「雌ネジ部４の螺合終了側端部４ｂが、ナット部材３の切り欠き部５と、ナット部材３の中心軸方向において同じ位置にある」とは、図５に示したように、ネジ部の中心軸方向、図中では上下方向において、雌ネジ部４の螺合終了側端部４ｂと切り欠き部５とが、同じ高さ位置にある、という意味である。これにより、雌ネジ部４の螺合終了側端部４ｂの隣の雌ネジ部４を有さない箇所に切り欠き部５が設けられることとなり、切り欠き部５によって雌ネジ部４が分断され、螺合が弱くなる、ということが無い。
尚、切り欠き部５は軸方向視、ナット部材３の外周に沿って４５度間隔で配置される８個のリブ片３ｂの内の２個のリブ片３ｂの中間部分に設けられてなる。このため、切り欠き部５によって、リブ片３ｂの一部が削除され、その強度が下がる、ということは無い。
接続配管Ｐは、直管、屈曲管などの管体からなる配管部材であって、排水装置本体１側面の排出口１ｃから、下水側に繋がる床下配管までを接続する。この接続配管Ｐは、シンクＳ底面及びキャビネットＣ内側面に沿って配置され、その途中箇所に、後述するトラップ部材Ｔを介してなる。
トラップ部材Ｔは、管体を略Ｓ字形状に屈曲させた部材であって、使用時その内部に排水の溜まり部分を形成する。この排水の溜まり部分によってトラップ部材Ｔ内部の流路の一部が満水状態になり、下水側からの臭気や害虫類が満水部分よりも屋内側に侵入できなくなるため、屋内側に臭気や害虫類が侵入することを防止するようになる。このような、下水側からの臭気や害虫類が屋内側に侵入することを防止する機能を「トラップ機能」と呼ぶ。
尚、詳述しないが、排水装置本体１、シンクＳや各配管部材等、配管のそれぞれの接続箇所において、水密的な接続が必要となる箇所においては、接着や、パッキングと袋ナット等を利用して、水密的な接続が行われている。
【００１９】
上記のように構成した排水装置及び排水配管は、以下のようにして槽体である流し台ＮのシンクＳに施工される。
まず、排水装置本体１を、シンクＳの底面の取付孔Ｈに上方から挿通し、フランジ部１ａの下面がシンクＳ底面の取付孔Ｈの周縁上面に当接するようにする。次に、図８乃至図１０に示したように、ナット部材３を、排出口１ｃから挿通し、ナット部材３に、ネジ軸を一致させる為の回転（図８の矢印方向への回転）を行う。
この際には、ナット部材３の方向を調整し、平面視において、切り欠き部５と排出口１ｃが同じ方向となるように配置する。この状態からネジ軸を一致させる為の回転を行うと、図１１に示したように、ナット部材３の切り欠き部５内に、排水装置本体１の排出口１ｃが収納され、切り欠き部５が排出口１ｃに跨るような状態となってネジ軸が一致する。このネジ軸を一致させる為の回転の作業は、ナット部材３に切り欠き部５を設けたことによって、ナット部材３と排出口１ｃの間に比較的広い遊び空間を設けることができ、容易に行うことができる。但し、この状態では、切り欠き部５以外のナット部材３の下端部分は、排出口１ｃの上端より下方にあるため、ナット部材３を、ネジの中心軸を中心として回転させることはできない。
この、雄ネジ部２の中心軸と、雌ネジ部４の中心軸が一致したこの状態では、切り欠き部５と排出口１ｃによって排水装置本体１に対してナット部材３が位置決めされたことで、図１２及び図１３に示したように、軸方向視、排水装置本体１の雄ネジ部２と、ナット部材３の雌ネジ部４の、各螺合開始側端部が、近傍且つ互いに干渉しない位置に配置されてなる。
以下に、図１３を用いて詳細に説明する。尚、図１３の簡略図では、ナット部材３の手前側の雌ネジ部４の山の頂点を、図中の点線で示してなる。詳述すると、ナット部材３の手前側の雌ネジ部４の山の頂点を図中の点線で示した、図１３の簡略図より明らかなように、ナット部材３を螺合の為上昇させても、排水装置本体１の雄ネジ部２の端部と、ナット部材３の雌ネジ部４の端部が衝突することが無い。このため、ナット部材３は容易に上昇し、図１５に示した状態、即ち雄ネジ部２の螺合開始側端部２ａと雌ネジ部４の螺合開始側端部４ａとが同じ高さ位置にて向き合うことができる。
こうしてナット部材３を上昇させたことで、ナット部材３の切り欠き部５以外の下端部分も、図１５に示したように、排出口１ｃの上端より上方に位置させることができ、ナット部材３を、ネジの中心軸を中心として回転させることができるようになる。そのままナット部材３をネジ部の中心軸を中心として回転させることで、雄ネジ部２と雌ネジ部４の螺合を開始することができる。
そのままリブ片３ｂ等を利用して、ナット部材３を回転させると、排水装置本体１とナット部材３の螺合が進み、ナット部材３の上端の押当部３ａ上面が、シンクＳ底面の取付孔Ｈの周縁下面に強く当接する。結果、取付孔Ｈ周縁を、フランジ部１ａの下面と押当部３ａ上面とで強く挟持することができ、図１６に示したように、排水装置本体１をシンクＳの取付孔Ｈに取り付けることができる。
この後、排出口１ｃから床下配管までを、途中にトラップ部材Ｔを介した上で、直管、屈曲管等を利用した接続配管Ｐによって接続して、本発明の排水装置の取り付け構造を採用した、排水配管の施工が完了する。
【００２０】
上記のように施工された流し台Ｎの排水配管は、段落０００５に記載した従来例と同様にして使用することで、トラップ機能を有する排水配管として使用することができる。
【００２１】
上記第一実施例の排水装置の取り付け構造を採用した排水装置本体１においては、ナット部材３に切り欠き部５を設けたことで、従来の排水装置の取り付け構造を採用した排水装置本体１に比べ、雄ネジ部２の下端から排出口１ｃ、即ち突出部までの高さ幅を短くすることができ、その分全高を低くすることができる。
詳細に説明すると、仮に、雄ネジ部２下端から突出部である排出口の上端までの高さ幅（図４のＬ１の長さ）では、排出口を切断して部分の）が、ナット部材３の雌ネジ部４上端からナット部材３下端までの高さ幅（図５のＬ２）と全く同じ高さ幅であれば、ナット部材３又は突出部を撓ませる等しなければ、ネジ軸を一致させる為の回転を行うことができない。
これは、上記したような、Ｌ１とＬ２が同じ高さ幅の排水装置本体１とナット部材３が、図１５のように、ナット部材３の下端面と突出部上面とが当接した状態を想定すると理解しやすい。つまり、図１５の状態からネジ軸を一致させる際の回転とは逆方向の縦回転を行い、突出部からナット部材３を引き抜くためには、ナット部材３の下端面と突出部上面とが当接した状態を解除する必要があるが、Ｌ１とＬ２が同じ高さ幅の排水装置本体１とナット部材３では、本実施例のように切り欠き部５が無い限り、この当接を解除するための高さ方向の余裕が無く、ナット部材３を縦方向に回転させることは不可能である。従って、同様に、逆の手順によってネジ軸を一致させる為の回転を行うことも不可能である。
本第一実施例の排水装置の取り付け構造のように、ナット部材３の下端部分に、突出部に対応した切り欠き部５を設けると、Ｌ１とＬ２が同じ高さ幅の排水装置本体１とナット部材３であっても、切り欠き部５においてはネジ軸を一致させる為の回転を行うことを可能にするだけの遊び空間を確保することができ、ネジ軸を一致させる為の回転を行うことが可能となり、ナット部材３を排水装置本体１に螺合させることが可能となる。このように、従来例の排水装置の取り付け構造では、ネジ軸を一致させる為の回転が不可能な高さ幅であっても、本実施例の排水装置の取り付け構造ではネジ軸を一致させる為の回転が可能となるため、本実施例のほうが、従来例に比べ、排水装置本体１の高さ幅を狭く（低く）することができる。
もちろん、Ｌ１に対してＬ２が短いような高さ幅の排水装置本体１とナット部材３であっても、切り欠き部５において遊び部分が長くなるため、ネジ軸を一致させる為の回転を行う作業が容易になる、という効果を奏する。
【００２２】
また、上記第一実施例の排水装置の取り付け構造を採用した排水装置本体１においては、排水装置本体１の雄ネジ部２の中心軸と、ナット部材３の雌ネジ部４の中心軸を一致させ、且つ切り欠き部５内部に排出口１ｃの上部を収納した状態において、軸方向視、排水装置本体１の雄ネジ部２と、ナット部材３の雌ネジ部４の、各螺合開始側端部が、近傍且つ互いに干渉しない位置に配置されてなることから、従来の排水装置の取り付け構造を採用した排水装置本体１に比べ、雄ネジ部２の下端から排出口１ｃ、即ち突出部までの高さ幅を短くすることができ、その分全高を低くすることができる。
詳述すると、排水装置本体１の雄ネジ部２、またナット部材３の雌ネジ部４は、それぞれ螺旋構造であり、雄ネジ部２の端部の下方に雌ネジ部４の端部が配置されて、端部同士が干渉する位置（軸方向に衝突する位置）に配置される場合と、雄ネジ部２の端部の下方からずれた位置に雌ネジ部４の端部が配置されて、端部同士が干渉しない位置（軸方向に衝突しない位置）に配置される場合とではネジの一ピッチ分、雄ネジ部２下端から突出部上端までに必要とされる高さ幅に違いが生じる。従来例のように、軸方向視における雄ネジ部２の螺合開始側端部２ａと雌ネジ部４の螺合開始側端部４ａの方向が管理されていない排水装置本体１とナット部材３では、雄ネジ部２と雌ネジ部４の端部同士が干渉する位置となる場合があることを考慮して各部材の全高を設計する必要がある。これに対して、本発明では、排水装置本体１の突出部とナット部材３の切り欠き部５を利用し、軸方向視における雄ネジ部２の螺合開始側端部２ａと雌ネジ部４の螺合開始側端部４ａの方向を管理して、ネジ軸を一致させる為の回転を行った状態において、雄ネジ部２と雌ネジ部４の端部同士が軸方向視近傍且つ干渉しない位置になるよう意図的に配置することができる。このため、従来の排水装置本体１及びナット部材３と比較し、ナット部材３の全高や、雌ネジ部４のネジ巻き数が同じでも、雄ネジ部２の下端部分、つまり雄ネジ部２の螺合開始側端部２ａから、突出部上面までの高さ幅を、ネジ部の一ピッチ分、狭くすることができ、その分、排水装置本体１の高さ幅を狭く（低く）することができる。
【００２３】
次に、本発明の第二実施例を、図面を参照しつつ説明する。
図１７乃至図２７に示した、本発明の第二実施例の排水装置の取り付け構造を採用した排水装置及び排水配管は、以下に記載した排水機器としての流し台Ｎ、排水装置本体１、ナット部材３、トラップ部材Ｔ、捕集部材、目隠し部材、接続配管Ｐ、バイパス管６等の部材から構成されてなる。尚、以下の説明における上下は、下記実施例の説明における、施工完了時の上下に基づいて説明している。
流し台Ｎは、槽体としての、上方が開口した箱体からなるシンクＳと、該シンクＳを載架するキャビネットＣからなる。また、シンクＳの底面には、排水装置本体１を取り付ける取付孔Ｈを備えてなる。
排水装置本体１は、図１８乃至図２０に示したような、有底筒状の部材であって、外側面に、突出部であり、他の排水装置である管体との配管接続部である排出口１ｃと、同じく外側面に、突出部であり、他の排水装置であるバイパス管６との配管接続部であるバイパス管接続部７と、を隣接するようにして備えてなる。
尚、図１８、図２０における、図中左側の配管接続部が排出口１ｃ、右側の配管接続部がバイパス管接続部７、であり、目印構造として、排出口１ｃの上面に「Ｌ」の文字を、バイパス管接続部７の上面に「Ｒ」の文字を、それぞれ印刷してなる。
また、排水装置本体１は、シンクＳ内の排水が流入する排水口１ｂを形成する、上端の開口部分の周縁に、外方向に突出したフランジ部１ａを備えてなる。
また、排水装置本体１は、フランジ部１ａの下方に切り欠き部５を備えた雄ネジ部２を設けてなる。
雄ネジ部２に設けた切り欠き部５について詳述すると、上記した、排出口１ｃの左側端部から、バイパス管接続部７の右側端部までの幅で、雄ネジ部２の下方二山までの部分の雄ネジ部２を切り欠いて切り欠き部５としてなる。
キャップ部材（図示せず）は、バイパス管接続部７を、排水装置本体１の内側から水密に閉塞する部材であり、排水口１ｂを介してバイパス管接続部７に着脱自在に取り付けられる。
ナット部材３は、図１８、図１９、図２１に示したような、略円筒形状にして、その上端に施工完了時取付孔Ｈ周縁を介してフランジ部１ａ下面と当接する押当部３ａを備えてなる。また、円筒形状の内側面に排水装置本体１の雄ネジ部２に螺合する雌ネジ部４を備えてなる。
また、円筒部分の外側面に、ナット部材３を回転させる際の掴み部分となるリブ片３ｂを複数備えてなる。
また、ナット部材３の側面及び押当部３ａ上面には、図２１に示したように、目印構造として、印刷にて、「Ｌ」及び「Ｒ」とそれぞれ文字が記載されてなる。排水装置本体１の雄ネジ部２の中心軸と、ナット部材３の雌ネジ部４の中心軸を一致させ、且つ排水装置本体１の「Ｌ」「Ｒ」の文字と、ナット部材３の「Ｌ」「Ｒ」の排出口１ｃの文字を同じ方向に合致させることで、該ナット部材３は、ネジ部の軸方向視、排水装置本体１の雄ネジ部２と、ナット部材３の雌ネジ部４の、各螺合開始側端部が、近傍且つ互いに干渉しない位置に配置されるように構成されてなる。
詳述すると、排水装置本体１の雄ネジ部の螺合開始側端部２ａとは、ナット部材３の雌ネジ部４に最初に接する、雄ネジ部２の下方側の端部、単に「雄ネジ部２の下端」の部分、と言うだけでなく、ネジ部分の螺旋の端部を指し示すものである。
また、本実施例においては、雄ネジ部２に切り欠き部５が設けられ、該切り欠き部５によって雄ネジ部２が中断されているが、「雄ネジ部２の螺合開始側端部２ａ」とは、この中断された部分の端部ではなく、あくまでネジ部分の螺旋が始まる（又は終わる）端部を指し示すものである（但し、切り欠き部５が設けられた位置によっては、ネジ部分の螺旋が始まる（又は終わる）端部に切り欠き部５が設けられ、切り欠き部５の端部が「雄ネジ部２の螺合開始側端部２ａ」を兼ねる場合がある）。
また、ナット部材３の雌ネジ部４の螺合開始側端部４ａとは、排水装置本体１の雄ネジ部２に最初に接する、雌ネジ部４の上方側の端部である。これも、単に「雌ネジ部４の上端」の部分、と言うだけでなく、ネジ部分の螺旋の端部を指し示すものである。
そして「軸方向視、排水装置本体１の雄ネジ部２と、ナット部材３の雌ネジ部４の、各螺合開始側端部が、近傍且つ互いに干渉しない位置」とは、図２６にて示したように、雄ネジ部２と雌ネジ部４の各螺合開始側の端部が、軸方向視近傍（雄ネジ部２及び雌ネジ部４の中心軸を中心として４５度程度の角度内に収まる範囲）にあり、且つ両ネジ部の端部同士が重ならない状態である。
また、該ナット部材３においては、ナット部材３下端から、雌ネジ部４の螺合開始側端部４ａまでの高さ幅を、排水装置本体１の排出口１ｃ上面から雄ネジ部２の螺合開始側端部２ａまでの高さ幅とほぼ同じ高さ幅で、若干（雌ネジ部４の１ピッチの高さの１／４以下程度）だけ低く構成してなる。
接続配管Ｐは、直管、屈曲管などの管体からなる配管部材であって、排水装置本体１側面の排出口１ｃから、下水側に繋がる床下配管までを接続する。この接続配管Ｐは、シンクＳ底面及びキャビネットＣ内側面に沿って配置され、その途中箇所に、後述するトラップ部材Ｔを介してなる。
トラップ部材Ｔは、管体を略Ｓ字形状に屈曲させた部材であって、使用時その内部に排水の溜まり部分を形成する。この排水の溜まり部分によってトラップ部材Ｔ内部の流路の一部が満水状態になり、下水側からの臭気や害虫類が満水部分よりも屋内側に侵入できなくなるため、屋内側に臭気や害虫類が侵入することを防止するようになる。このような、下水側からの臭気や害虫類が屋内側に侵入することを防止する機能を「トラップ機能」と呼ぶ。
また、該トラップ部材Ｔにおいて、トラップ部材Ｔの下流側の管体の垂直部分の上方に、後述するバイパス管６との接続部であるバイパス管接続部７を備えてなる。
バイパス管６は、屈曲管からなる管体であり、一端は排水装置本体１のバイパス管接続部７に、他端はトラップ部材Ｔのバイパス管接続部７に、それぞれ接続される。
尚、詳述しないが、排水装置本体１、シンクＳや各配管部材等、配管のそれぞれの接続箇所において、水密的な接続が必要となる箇所においては、接着や、パッキングと袋ナット等を利用して、水密的な接続が行われている。
【００２４】
上記のように構成した排水装置及び排水配管は、以下のようにして槽体である流し台ＮのシンクＳに施工される。
まず、排水装置本体１を、シンクＳの底面の取付孔Ｈに上方から挿通し、フランジ部１ａの下面がシンクＳ底面の取付孔Ｈの周縁上面に当接するようにする。次に、図２２及び図２３に示したように、ナット部材３を、排出口１ｃから挿通し、ナット部材３に、ネジ軸を一致させる為の回転を行う。
この際には、ナット部材３の方向を調整し、ネジ部の中心軸から見て排水装置本体１の「Ｌ」「Ｒ」の文字と、ナット部材３の「Ｌ」「Ｒ」の文字が、ネジ部の中心軸から見て同じ方向となるように配置する。
このネジ軸を一致させる為の回転の作業は、雄ネジ部２に切り欠き部５を設けたことによって、ナット部材３と、ナット部材３に干渉する排水装置本体１の雄ネジ部２との間に比較的広い遊び空間を設けることができ、容易に行うことができる。
また、排水装置本体１の「Ｌ」「Ｒ」の文字と、ナット部材３の「Ｌ」「Ｒ」の文字が同じ方向に配置され、排水装置本体１に対してナット部材３が位置決めされたことで、軸方向視、排水装置本体１の雄ネジ部２と、ナット部材３の雌ネジ部４の、各螺合開始側端部が、近傍且つ互いに干渉しない位置に配置される。
また、ナット部材３下端から、雌ネジ部４の螺合開始側端部４ａまでの高さ幅を、排水装置本体１の排出口１ｃ上面から雄ネジ部２の螺合開始側端部２ａまでの高さ幅とほぼ同じ高さ幅に構成してなるため、ナット部材３のネジ軸を一致させる為の回転を行い、雄ネジ部２と雌ネジ部４の中心軸が一致した時点で、雄ネジ部２と雌ネジ部４の螺合開始側端部４ａは、図２４に示したような、同じ高さ位置となり、そのままネジの中心軸を中心としてナット部材３を回転させるだけで、螺合を開始することができる（尚、この際には、排水装置本体１の「Ｌ」「Ｒ」の文字と、ナット部材３の「Ｌ」「Ｒ」の文字が同じ方向に配置されていなければ、ナット部材３のネジ軸を一致させる為の回転作業を行っても、雄ネジ部２と雌ネジ部４の中心軸が一致する位置まで回転を進めることはできず、当然雄ネジ部２と雌ネジ部４の螺合を行うこともできない）。
このように、雄ネジ部２の螺合開始側端部２ａと、雌ネジ部４の螺合開始側端部４ａが同じ高さ位置となり、そのままナット部材３を、ネジの中心軸を中心として回転させることで、雄ネジ部２と雌ネジ部４の螺合を開始することができる。
そのままリブ片３ｂ等を利用して、ナット部材３を回転させると、排水装置本体１とナット部材３の螺合が進み、ナット部材３の上端の押当部３ａ上面が、シンクＳ底面の取付孔Ｈの周縁下面に強く当接する。結果、図２７に示したように、取付孔Ｈ周縁を、フランジ部１ａの下面と押当部３ａ上面とで強く挟持することができ、排水装置本体１をシンクＳの取付孔Ｈに取り付けることができる。
この後、排出口１ｃから床下配管までを、途中にトラップ部材Ｔを介した上で、直管、屈曲管等を利用した接続配管Ｐによって接続する。また、バイパス管６の一端を排水装置本体１のバイパス管接続部７に、他端をトラップ部材Ｔのバイパス管接続部７に、それぞれ接続させ、更にキャップ部材を、排水装置本体１の内側からバイパス管接続部７に水密的に取り付けて、本発明の排水装置の取り付け構造を採用した、排水配管の施工が完了する。
【００２５】
上記のように施工された流し台Ｎの排水配管は、段落０００５に記載した従来例と同様にして使用することで、トラップ機能を有する排水配管として使用することができる。
また、従来例及び第一実施例に無い構成・機能として、本第二実施例では、配管の清掃構造を有してなる。具体的に説明すると、トラップ部材Ｔよりも下流側の配管において、塵芥等が集まり、管詰まりを生じた場合、排水口１ｂからキャップ部材を取り外し、排水口１ｂ内のバイパス管接続部７から、バイパス管６を介してトラップ部材Ｔの下流側まで、金属製のコイル線や高圧洗浄機等清掃機具を挿入して、管詰まりを解消することができる。尚、清掃後はバイパス管接続部７から清掃機具を取り出し、再びバイパス管接続部７にキャップ部材を取り付けて作業を完了させる。
【００２６】
上記第二実施例の排水装置の取り付け構造を採用した排水装置本体１においては、雄ネジ部２に切り欠き部５を設けたことで、従来の排水装置の取り付け構造を採用した排水装置本体１に比べ、雄ネジ部２の下端から排出口１ｃ、即ち突出部までの高さ幅を短くすることができ、その分全高を低くすることができる。全高を低くできる理由・効果は、遊び空間が生じる箇所が、第一実施例のナット部材３の切り欠き部５と排出口１ｃとの間から、本第二実施例では雄ネジ部２上の切り欠き部５とナット部材３との間である、という点を除き、段落００２１に記載した、第一実施例の理由・効果と同じである。
【００２７】
また、上記第二実施例の排水装置の取り付け構造を採用した排水装置本体１においては、排水装置本体１の雄ネジ部２の中心軸と、ナット部材３の雌ネジ部４の中心軸を一致させ、且つ切り欠き部５内部に排出口１ｃの上部を収納した状態において、軸方向視、排水装置本体１の雄ネジ部２と、ナット部材３の雌ネジ部４の、各螺合開始側端部が、近傍且つ互いに干渉しない位置に配置されてなることから、従来の排水装置の取り付け構造を採用した排水装置本体１に比べ、雄ネジ部２の下端から排出口１ｃ、即ち突出部までの高さ幅を短くすることができ、その分全高を低くすることができる。
全高を低くできる理由・効果は、段落００２２に記載した、第一実施例の理由・効果と同じである。
【００２８】
本発明の実施例は以上のようであるが、本発明は上記実施例に限定される物ではなく、主旨を変更しない範囲において自由に変更が可能である。
例えば、上記実施例では、本発明の排水装置本体１を、流し台ＮのシンクＳに採用して構成してなるが、本発明は上記実施例に限定されるものではなく、洗面台や浴槽・浴室、また洗濯機用防水パン等の様々な排水機器の排水装置の取り付け構造に採用しても構わない。
【００２９】
また、上記実施例では、雄ネジ部２また雌ネジ部４は、ネジが一条のネジからなる一条ネジにて構成されてなるが、本発明は上記実施例に限定されるものではなく、二回転対称形状体である二条ネジ、また三回転対称形状体である三条ネジなど、ネジによる螺合を利用する構造であれば、ネジの条数には特に関係なく利用することができる。
【００３０】
また、上記第一実施例では、ナット部材３の雌ネジ部４に設けた切り欠き部５は、雌ネジ部４に干渉することの無いように構成されてなるが、強度が充分に確保され、切り欠きを設けたとしても支障なく雌ネジ部４として機能できる場合、切り欠き部５が雌ネジ部４の一部を削除するようにして配置されても構わない。
【００３１】
また、上記実施例では、突出部は全て管体等他の排水装置との接続部であったが、本発明は上記実施例に限定されるものではなく、固定用のリブなど、配管接続とは別の目的で構成された突出部でも構わない。また、配管接続部であったとしても、排出口１ｃやバイパス管６との接続部とは別の構造、例えばオーバーフロー排水口からの配管の接続部であっても構わない。
【符号の説明】
【００３２】
１    排水装置本体                      １ａ  フランジ部
１ｂ  排水口                            １ｃ  排出口
２    雄ネジ部                          ２ａ  雄ネジ部の螺合開始側端部
３    ナット部材                        ３ａ  押当部
３ｂ  リブ片                            ４    雌ネジ部
４ａ  雌ネジ部の螺合開始側端部          ４ｂ  雌ネジ部の螺合終了側端部
５    切り欠き部                        ６    バイパス管
７    バイパス管接続部                  Ｃ    キャビネット
Ｈ    取付孔                            Ｎ    流し台
Ｐ    接続配管                          Ｓ    シンク
【図１】
2015165064.tif 000003
【図２】
2015165064.tif 000004
【図３】
2015165064.tif 000005
【図４】
2015165064.tif 000006
【図５】
2015165064.tif 000007
【図６】
2015165064.tif 000008
【図７】
2015165064.tif 000009
【図８】
2015165064.tif 000010
【図９】
2015165064.tif 000011
【図１０】
2015165064.tif 000012
【図１１】
2015165064.tif 000013
【図１２】
2015165064.tif 000014
【図１３】
2015165064.tif 000015
【図１４】
2015165064.tif 000016
【図１５】
2015165064.tif 000017
【図１６】
2015165064.tif 000018
【図１７】
2015165064.tif 000019
【図１８】
2015165064.tif 000020
【図１９】
2015165064.tif 000021
【図２０】
2015165064.tif 000022
【図２１】
2015165064.tif 000023
【図２２】
2015165064.tif 000024
【図２３】
2015165064.tif 000025
【図２４】
2015165064.tif 000026
【図２５】
2015165064.tif 000027
【図２６】
2015165064.tif 000028
【図２７】
2015165064.tif 000029
【図２８】
2015165064.tif 000030